(57)【要約】      （修正有）【課題】折り曲げ動作を必要せず、ダイヤモンドの取り付けが便利で、かつ、取り付けた後の全体的な感じが１粒のダイヤモンドのようになって、１粒のダイヤモンドのようにどんなアクセサリにも取り付けることができる部品式嵌入ダイヤモンドアクセサリを提供する。【解決手段】部品式嵌入ダイヤモンドアクセサリ１００は、その底面が錐形であり、頂面にダイヤモンドを配置するための複数のダイヤモンド座孔部を設けた貴金属ベース１１０を備え、かつ、貴金属ベースの周囲を沿うダイヤモンド座孔部の間に係合突出部１１２を設けられ、貴金属ベースの周囲にあるダイヤモンド１２０が共通して貴金属ベースの中央に位置するダイヤモンドを押し出し、貴金属ベースの周囲は周囲のダイヤモンドのエッジと揃えている。【選択図】図１
0003139361.tif 000002
【実用新案登録請求の範囲】
【請求項１】
その底面が錐形で上面にダイヤモンドが配置される複数のダイヤモンド座孔部を有する貴金属ベースを有し、
前記貴金属ベースは、その周囲で前記ダイヤモンド座孔部の間に設けられた係合突出部を有し、
前記貴金属ベースの周囲に配置されるダイヤモンドが、共通して前記貴金属ベースの中央に配置されるダイヤモンドに接触し、前記貴金属ベースの周囲は、周囲に配置されたダイヤモンドのエッジと整合している
ことを特徴とする部品式嵌入ダイヤモンドアクセサリ。
【請求項２】
前記ダイヤモンド座孔部は、中央に１個とその周囲に８個形成されている
ことを特徴とする請求項１に記載の部品式嵌入ダイヤモンドアクセサリ。
【考案の詳細な説明】
【技術分野】
【０００１】
本考案は、アクセサリ装置に関し、特に、嵌入ダイヤモンドを取り付けた後のアクセサリ装置に関する。
【背景技術】
【０００２】
従来のダイヤモンドの資源はますます乏しくなり、小粒のダイヤモンド数は大きく、多くの場合、顧客の大ダイヤモンドを身につけたがる心気持ちを満たせることができなかった。従来には若干のダイヤモンドの組合品があったが、人力により、複数のダイヤモンドが固定できるように長い爪を折り曲げることが多く、その消費される時間が長く、完全に手芸に頼ることになり、全体的な感じが美観ではなかった。
【０００３】
従来の大粒のダイヤモンド、例えば１カラット以上のダイヤモンドは高価であり、中低層の市場の需要を満たすことができない。そして、従来の複数粒のダイヤモンドが１粒のダイヤモンドを囲んで設けたことも、ただアクセサリの模様のために行うデザインにすぎなく、従来にはありふれていたが、その全体的な感じは花形で、１粒のダイヤモンドの様式をシミュレーションすることができない。
従って、従来のものは改善し発展させる必要がある。
【考案の開示】
【考案が解決しようとする課題】
【０００４】
本考案は、折り曲げ動作を必要せず、ダイヤモンドの取り付けが便利で、かつ、取り付けた後の全体的な感じが１粒のダイヤモンドのようになって、１粒のダイヤモンドのようにどんなアクセサリにも取り付けることができる部品式嵌入ダイヤモンドアクセサリを提供することを目的とする。
【課題を解決するための手段】
【０００５】
上記した課題を解決するために、本考案の部品式嵌入ダイヤモンドアクセサリは、その底面が錐形であり、頂面にダイヤモンドを配置するための複数のダイヤモンド座孔部を設けた貴金属ベースを備え、かつ、前記貴金属ベースの周囲を沿う前記ダイヤモンド座孔部の間に係合突出部を設けられ、前記貴金属ベースの周囲にあるダイヤモンドが共通して前記貴金属ベースの中央に位置するダイヤモンドを押し出し、前記貴金属ベースの周囲は周囲のダイヤモンドのエッジと揃えている。
また、前記部品式嵌入ダイヤモンドアクセサリにおいて、前記ダイヤモンド座孔部は、中央に１個を設け、その周囲を囲んで８個を設けている。
【考案の効果】
【０００６】
総じて、本考案の部品式嵌入ダイヤモンドアクセサリは、貴金属ベースに設けられたダイヤモンド座孔部、及び周囲のダイヤモンド座孔部の間に設けられた係合突出部により、複数のダイヤモンドを押し出して前記貴金属ベースと一緒に１つの単粒のような大ダイヤモンドを形成し、全体的な効果を美観にすることができ、その製造過程が簡単で、コストも低い。
【考案を実施するための最良の形態】
【０００７】
以下、図面を参照して、本考案の好ましい実施例について詳しく説明する。
【０００８】
図１に示すように、本考案の部品式嵌入ダイヤモンドアクセサリ１００は、１つの貴金属ベース１１０を備えており、図２に示すように、この貴金属ベース１１０の底面は錐形をなし、頂面にはダイヤモンド１２０を配置するための複数のダイヤモンド座孔部１１１を設け、この貴金属ベース１１０は、例えば金、銀、プラチナ及びその合金等の各種類の貴金属からなり、かつ、前記貴金属ベース１１０の周囲を沿う前記ダイヤモンド座孔部の間に係合突出部１１２を設けられ、この係合突出部１１２は、径方向において外に向って広がる三角形をなすことにより、人力の折り曲げ爪動作を必要せず、異なる大きさのダイヤモンドを２つの係合突出部１１２の間に配置することができる。
【０００９】
本考案の好ましい実施例において、前記貴金属ベース上に、前記ダイヤモンド座孔部１１０を、その中央の１個を、その周囲を囲んで８個を設けたが、例えば、その中央に１個を、その周囲を囲んで６個を設ける方式等の他の配置方式が採用できることは言うまでもない。従って、本考案において、その周囲を囲むダイヤモンド数は制限されることなく、複数でよい。
【００１０】
本考案の部品式嵌入ダイヤモンドアクセサリにおいて、前記貴金属ベースの周囲に嵌められたダイヤモンドは、そのエッジで前記貴金属ベースの中央に位置する１粒のダイヤモンドを押し出すことができると共に、図３に示すように、前記貴金属ベースの周囲のダイヤモンドエッジは前記貴金属ベースの周囲のエッジに揃えている。さらに、前記貴金属ベースの底面は錐形になっているため、本考案の部品式嵌入ダイヤモンドアクセサリは、ダイヤモンドを嵌めた後に、全体的にまるで１つの単粒のダイヤモンドのように見えられ、そのコストは大きく低減される。そのため、本考案の部品式嵌入ダイヤモンドアクセサリは、大粒のダイヤモンドを追求しているデコレーション効果を影響することなく、そのコストを大きく低減する。
【００１１】
同時に、本考案の部品式嵌入ダイヤモンドアクセサリは、完全に１つの単粒のダイヤモンドをシミュレーションすることができ、さらに、そのサイズは多様化され、標準的部品としてシリーズ製品を形成することができ、１つの単粒のような大ダイヤモンドとして、例えばダイヤモンド指輪、ネックレス等のどんな他のアクセサリに配置することができる。このことにより、本考案の部品式嵌入ダイヤモンドアクセサリは、どんな単粒のダイヤモンドを需要する位置に配置することができるため、その市場価値は非常に大きい。
【００１２】
本考案の部品式嵌入ダイヤモンドアクセサリは、貴金属ベース上に設けられたダイヤモンド座孔部、及び周囲のダイヤモンド座孔部の間に設けられた係合突出部により、複数のダイヤモンドを押し出すことができ、前記貴金属ベースと共通して美観な整体を形成され、その製造過程は簡単である。本考案の嵌入ダイヤモンドアクセサリはそのままで単粒のダイヤモンドのようにシリーズを形成することができ、他のネックレス又はダイヤモンド指輪に取り付けることができ、全体的な外観から見ると、まったく１粒の大きいダイヤモンドのようであるため、低コストで１粒の大きいダイヤモンドを実現できる効果を有し、さらに、その市場の潜在力が大きい。
【００１３】
なお、理解すべきことは、本分野の当業者にとっては、上記した説明に基づいてさらに改善し変換することができるが、これらの改善や変換はいずれも本考案の請求の範囲に属するべきである。
【図面の簡単な説明】
【００１４】
【図１】本考案に係る嵌入ダイヤモンドアクセサリの立体図である。
【図２】本考案に係る嵌入ダイヤモンドアクセサリの貴金属ベースの立体図である。
【図３】本考案に係る部品式嵌入ダイヤモンドアクセサリの断面図である。
【符号の説明】
【００１５】
１００    部品式嵌入ダイヤモンドアクセサリ
１１０    貴金属ベース
１１１    ダイヤモンド座孔部
１１２    係合突出部
１２０    ダイヤモンド
【図１】
0003139361.tif 000003
【図２】
0003139361.tif 000004
【図３】
0003139361.tif 000005